(57)【要約】【課題】子機を動かすことで初期設定通信を行える無線通信システムを提供する。【解決手段】親機１では、子機２から受信した信号の今回の受信レベル値を測定し（Ｓ３）、前回の受信レベル値と今回の受信レベル値との差Δがしきい値ＴＨΔであり、且つ、今回の受信レベル値がしきい値ＴＨ以上であるなら（Ｓ５：ＹＥＳ）、初期設定通信を行う（Ｓ７）。【選択図】図５
2012248943.tif 000002
【特許請求の範囲】
【請求項１】
無線通信システムの親機であって、
前記無線通信システムの子機に対して初期設定通信を行う初期設定通信部と、
前記子機から受信した信号の受信レベル値が記憶される記憶部と、
前記子機から信号を受信したなら、前記記憶部から受信レベル値を読み出し、該受信レベル値と当該信号の受信レベル値との差を求め、該差が予め定めたしきい値以上であるなら、前記初期設定通信部を起動する初期設定通信起動部と
を備えることを特徴とする無線通信システムの親機。
【請求項２】
無線通信システムの親機であって、
前記無線通信システムの子機に対して初期設定通信を行う初期設定通信部と、
前記子機から受信した信号の受信レベル値が記憶される記憶部と、
前記子機から信号を受信したなら、前記記憶部から受信レベル値を読み出し、該受信レベル値と当該信号の受信レベル値との差を求め、該差が該差について予め定めたしきい値以上であり、且つ、当該受信レベル値が該受信レベル値について予め定めたしきい値以上であるなら、前記初期設定通信部を起動する初期設定通信起動部と
を備えることを特徴とする無線通信システムの親機。
【請求項３】
前記初期設定通信において送信される信号のレベルが低くなるように制御する信号レベル制御部
を備えることを特徴とする請求項１または２記載の無線通信システムの親機。
【請求項４】
無線通信システムであって、
前記無線通信システムの親機は、
前記無線通信システムの子機に対して初期設定通信を行う初期設定通信部と、
前記子機から受信した信号の受信レベル値が記憶される記憶部と、
前記子機から信号を受信したなら、前記記憶部から受信レベル値を読み出し、該受信レベル値と当該信号の受信レベル値との差を求め、該差が予め定めたしきい値以上であるなら、前記初期設定通信部を起動する初期設定通信起動部と
を備え、
前記無線通信システムの子機は、
前記無線通信システムの親機に対して初期設定通信を行う初期設定通信部と、
前記初期設定通信で得られた前記親機の情報が記憶される記憶部と、
前記記憶部に前記親機の情報が記憶されているか否かを判定し、前記記憶部に前記親機の情報が記憶されていないなら、前記子機の初期設定通信部を起動する設定通信起動部と  を備えることを特徴とする無線通信システム。
【請求項５】
無線通信システムの親機の動作方法であって、
前記親機は、
前記無線通信システムの子機に対して初期設定通信を行う初期設定通信部と、
前記子機から受信した信号の受信レベル値が記憶される記憶部とを備え、
前記動作方法は、
前記親機の初期設定通信起動部が、
前記子機から信号を受信したなら、前記記憶部から受信レベル値を読み出し、該受信レベル値と当該信号の受信レベル値との差を求め、該差が予め定めたしきい値以上であるなら、前記初期設定通信部を起動する
ことを特徴とする無線通信システムの親機の動作方法。
【請求項６】
無線通信システムの親機の動作方法であって、
前記親機は、
前記無線通信システムの子機に対して初期設定通信を行う初期設定通信部と、
前記子機から受信した信号の受信レベル値が記憶される記憶部とを備え、
前記動作方法は、
前記親機の初期設定通信起動部が、
前記子機から信号を受信したなら、前記記憶部から受信レベル値を読み出し、該受信レベル値と当該信号の受信レベル値との差を求め、該差が該差について予め定めたしきい値以上であり、且つ、当該受信レベル値が該受信レベル値について予め定めたしきい値以上であるなら、前記初期設定通信部を起動する
ことを特徴とする無線通信システムの親機の動作方法。
【請求項７】
無線通信システムの動作方法であって、
前記無線通信システムの親機は、
前記無線通信システムの子機に対して初期設定通信を行う初期設定通信部と、
前記子機から受信した信号の受信レベル値が記憶される記憶部とを備え、
前記無線通信システムの子機は、
前記無線通信システムの親機に対して初期設定通信を行う初期設定通信部と、
前記初期設定通信で得られた前記親機の情報が記憶される記憶部とを備え、
前記動作方法は、
前記親機の初期設定通信起動部が、
前記子機から信号を受信したなら、前記記憶部から受信レベル値を読み出し、該受信レベル値と当該信号の受信レベル値との差を求め、該差が予め定めたしきい値以上であるなら、前記初期設定通信部を起動し、
前記子機の設定通信起動部が、
前記記憶部に前記親機の情報が記憶されているか否かを判定し、前記記憶部に前記親機の情報が記憶されていないなら、前記子機の初期設定通信部を起動する
ことを特徴とする無線通信システムの動作方法。
【請求項８】
請求項１または２記載の無線通信システムの親機または請求項４記載の無線通信システムの子機としてコンピュータを機能させるためのコンピュータプログラム。
【発明の詳細な説明】
【技術分野】
【０００１】
本発明は、子機を動かすことで初期設定通信を行える無線通信システムに関するものである。
【背景技術】
【０００２】
無線通信システムにおいては、多くの場合、親機と子機が、本来の通信を行えるように
接続とセキュリティの設定を行うための初期設定通信を行う。
【０００３】
例えば、ユーザが、親機と子機に設けられた初期設定通信のスイッチを操作すると、または、親機や子機をパーソナルコンピュータなどに接続し、ウェブブラウザによるグラフィックインタフェースの画面に表示される階層メニューを辿り、初期設定通信の項目を選択すると、初期設定通信が始まり、これにより、本来の通信を行えるようになる。
【先行技術文献】
【非特許文献】
【０００４】
【非特許文献１】"Wi-Fi Alliance: Home"、［ｏｎｌｉｎｅ］、［平成２３年４月２２日検索］、インターネット＜ＵＲＬ：http://www.wi-fi.org/＞
【発明の概要】
【発明が解決しようとする課題】
【０００５】
しかしながら、市中製品（タブレット端末、ゲーム機等）には、スイッチを備えないものがあり、よって、初期設定通信をスイッチにより行うことができない。
【０００６】
また、階層メニューを辿るのは煩雑であり、初期設定通信を容易に行いたいという要望がある。
【０００７】
本発明は、上記の課題に鑑みてなされたものであり、その目的とするところは、子機を動かすことで初期設定通信を行える無線通信システムを提供することにある。
【課題を解決するための手段】
【０００８】
上記の課題を解決するために、第１の本発明は、無線通信システムの親機であって、前記無線通信システムの子機に対して初期設定通信を行う初期設定通信部と、前記子機から受信した信号の受信レベル値が記憶される記憶部と、前記子機から信号を受信したなら、前記記憶部から受信レベル値を読み出し、該受信レベル値と当該信号の受信レベル値との差を求め、該差が予め定めたしきい値以上であるなら、前記初期設定通信部を起動する初期設定通信起動部とを備えることを特徴とする無線通信システムの親機をもって解決手段とする。
【０００９】
第２の本発明は、無線通信システムの親機であって、前記無線通信システムの子機に対して初期設定通信を行う初期設定通信部と、前記子機から受信した信号の受信レベル値が記憶される記憶部と、前記子機から信号を受信したなら、前記記憶部から受信レベル値を読み出し、該受信レベル値と当該信号の受信レベル値との差を求め、該差が該差について予め定めたしきい値以上であり、且つ、当該受信レベル値が該受信レベル値について予め定めたしきい値以上であるなら、前記初期設定通信部を起動する初期設定通信起動部とを備えることを特徴とする無線通信システムの親機をもって解決手段とする。
【００１０】
例えば、親機は、前記初期設定通信において送信される信号のレベルが低くなるように制御する信号レベル制御部を備える。
【００１１】
第３の本発明は、無線通信システムであって、前記無線通信システムの親機は、前記無線通信システムの子機に対して初期設定通信を行う初期設定通信部と、前記子機から受信した信号の受信レベル値が記憶される記憶部と、前記子機から信号を受信したなら、前記記憶部から受信レベル値を読み出し、該受信レベル値と当該信号の受信レベル値との差を求め、該差が予め定めたしきい値以上であるなら、前記初期設定通信部を起動する初期設定通信起動部とを備え、前記無線通信システムの子機は、前記無線通信システムの親機に対して初期設定通信を行う初期設定通信部と、前記初期設定通信で得られた前記親機の情報が記憶される記憶部と、前記記憶部に前記親機の情報が記憶されているか否かを判定し、前記記憶部に前記親機の情報が記憶されていないなら、前記子機の初期設定通信部を起動する設定通信起動部とを備えることを特徴とする無線通信システムをもって解決手段とする。
【００１２】
第４の本発明は、無線通信システムの親機の動作方法であって、前記親機は、前記無線通信システムの子機に対して初期設定通信を行う初期設定通信部と、前記子機から受信した信号の受信レベル値が記憶される記憶部とを備え、前記動作方法は、前記親機の初期設定通信起動部が、前記子機から信号を受信したなら、前記記憶部から受信レベル値を読み出し、該受信レベル値と当該信号の受信レベル値との差を求め、該差が予め定めたしきい値以上であるなら、前記初期設定通信部を起動することを特徴とする無線通信システムの親機の動作方法をもって解決手段とする。
【００１３】
第５の本発明は、無線通信システムの親機の動作方法であって、前記親機は、前記無線通信システムの子機に対して初期設定通信を行う初期設定通信部と、前記子機から受信した信号の受信レベル値が記憶される記憶部とを備え、前記動作方法は、前記親機の初期設定通信起動部が、前記子機から信号を受信したなら、前記記憶部から受信レベル値を読み出し、該受信レベル値と当該信号の受信レベル値との差を求め、該差が該差について予め定めたしきい値以上であり、且つ、当該受信レベル値が該受信レベル値について予め定めたしきい値以上であるなら、前記初期設定通信部を起動することを特徴とする無線通信システムの親機の動作方法をもって解決手段とする。
【００１４】
第６の本発明は、無線通信システムの動作方法であって、前記無線通信システムの親機は、前記無線通信システムの子機に対して初期設定通信を行う初期設定通信部と、前記子機から受信した信号の受信レベル値が記憶される記憶部とを備え、前記無線通信システムの子機は、前記無線通信システムの親機に対して初期設定通信を行う初期設定通信部と、前記初期設定通信で得られた前記親機の情報が記憶される記憶部とを備え、前記動作方法は、前記親機の初期設定通信起動部が、前記子機から信号を受信したなら、前記記憶部から受信レベル値を読み出し、該受信レベル値と当該信号の受信レベル値との差を求め、該差が予め定めたしきい値以上であるなら、前記初期設定通信部を起動し、前記子機の設定通信起動部が、前記記憶部に前記親機の情報が記憶されているか否かを判定し、前記記憶部に前記親機の情報が記憶されていないなら、前記子機の初期設定通信部を起動することを特徴とする無線通信システムの動作方法をもって解決手段とする。
【発明の効果】
【００１５】
本発明によれば、無線通信システムの親機や子機のスイッチを操作せずに、また、階層メニューを辿ることなく、子機を動かすことで初期設定通信を行うことができる。
【図面の簡単な説明】
【００１６】
【図１】本実施の形態に係る無線通信システムの構成の一例を示す図である。
【図２】親機１の概略構成を示す機能ブロック図である。
【図３】履歴情報記憶部１０７の構成と記憶内容の一例を示す図である。
【図４】子機２の概略構成を示す機能ブロック図である。
【図５】親機１における初期設定通信に関するフローチャートである。
【図６】子機２における初期設定通信および通常設定通信に関するフローチャートである。
【図７】親機１と子機２の間の初期設定通信に関するシーケンスを示す図である。
【図８】親機１と子機２の間の距離Ｌと、信号Ａが距離Ｌを進む間に減衰する減衰量Ｋとの関係を示す図である。
【図９】本実施の形態の変形例に係る無線通信システムの親機１と子機２の間の初期設定通信に関するシーケンスを示す図である。
【発明を実施するための形態】
【００１７】
以下、本発明の実施の形態について図面を参照して説明する。
【００１８】
図１は、本実施の形態に係る無線通信システムの構成の一例を示す図である。  
無線通信システムは、親機１と子機２を備え、親機１と子機２は互いに電波により無線通信を行う。親機１には、ＬＡＮ（Local Area Network）ケーブルを介して通信装置３が接続され、通信装置３は、通信網Ｎに接続される。親機１、子機２および通信装置３は、例えば、無線通信システムのユーザ宅に設置される。子機２は、親機１と通信装置３を介して、通信網Ｎ内のウェブサーバなど（図示せず）と通信を行う。無線通信システムには複数の子機２が含まれることがあり、この場合、各子機２は、その識別情報であるアドレス（ＭＡＣアドレス（Media Access Control address）など）で識別される。
【００１９】
図２は、親機１の概略構成を示す機能ブロック図である。  
親機１は、各子機２に対し、電波を用いた無線通信を行う無線通信部１０１と、通信装置３に対し、ＬＡＮケーブルを介して通信を行う有線通信部１０２と、無線通信部１０１と有線通信部１０２の間で信号転送を行うブリッジ部１０３と、無線通信部１０１で受信した信号から特定の無線フレームを抽出する無線フレーム抽出部１０４と、無線通信部１０１で受信した信号の受信レベル値を測定する受信レベル値測定部１０５と、無線フレーム抽出部１０４で抽出された特定の無線フレームに含まれる送信元の子機２のアドレスと受信レベル値と受信時刻とを含む履歴情報を生成する無線フレーム処理部１０６と、履歴情報が記憶される履歴情報記憶部１０７と、各子機２との初回の通信に際して必要な初期設定通信を行う初期設定通信部１０８と、初期設定通信で得た設定情報が記憶される設定情報記憶部１０９と、各子機２との２回目以降の通信に際して必要な設定通信（初期設定通信と区別し、「通常設定通信」という）を行う通常設定通信部１１０と、初期設定通信部１０８を起動する初期設定通信起動部１１１と、初期設定通信において送信される信号のレベルを低下させるための制御を行う信号レベル制御部１１２とを備える。
【００２０】
初期設定通信部１０８は、例えば、Wi-Fi Allianceが定めたＷＰＳ（Wi-Fi Protected Setup）と称される初期設定通信を行うものである。
【００２１】
図３は、履歴情報記憶部１０７の構成と記憶内容の一例を示す図である。  
履歴情報記憶部１０７には、子機２のアドレスと受信レベル値と受信時刻を含む履歴情報が蓄積される。同図は、アドレスをＭＡＣアドレスとしたものである。
【００２２】
図４は、子機２の概略構成を示す機能ブロック図である。  
子機２は、無線通信を行う無線通信部２１と、無線通信部２１で受信した信号から特定の無線フレームを抽出する無線フレーム抽出部２２と、該無線フレームから親機１の識別情報を取り出す無線フレーム処理部２３と、親機１との初回の通信に際して必要な初期設定通信を行う初期設定通信部２４と、初期設定通信で得た設定情報が記憶される設定情報記憶部２５と、親機１との２回目以降の通信に際して必要な設定通信（親機１と同様に、初期設定通信と区別し、「通常設定通信」という）を行う通常設定通信部２６と、初期設定通信部２４と通常設定通信部２６を起動する設定通信起動部２７とを備える。
【００２３】
初期設定通信部２４は、例えば、ＷＰＳを行うものである。親機１の識別情報は、例えば、無線ＬＡＮの通信規定にあるＳＳＩＤ（Service Set Identifier）である。
【００２４】
無線通信部２１は、外部に対して、例えば、定期的に、信号（以下、信号Ａという）を送出するようになっている。信号Ａの無線フレームには、予め定められた情報（以下、情報ａという）が含まれている。信号Ａは、例えば、無線ＬＡＮの通信規定にあるProbe Requestである。情報ａは、例えば、信号ＡがProbe Requestであることを示すものである。
【００２５】
図５は、親機１における初期設定通信に関するフローチャートである。  
ステップＳ１では、無線通信部１０１で信号が受信されたなら、無線フレーム抽出部１０４は、受信された信号が信号Ａか否かを判定する。
【００２６】
情報ａを含む無線フレームが信号に含まれておらず、つまり、受信された信号が信号ＡでないならステップＳ１に戻る一方、情報ａを含む無線フレームが信号に含まれており、つまり、受信された信号が信号ＡならステップＳ３に進む。
【００２７】
ステップＳ３では、まず、無線フレーム抽出部１０４は、情報ａを含む無線フレームを、無線フレーム処理部１０６に転送する。
【００２８】
ステップＳ３では、また、受信レベル値測定部１０５は、受信した信号Ａの受信レベル値を測定し、該受信レベル値を無線フレーム処理部１０６に通知する。
【００２９】
ステップＳ３では、次に、無線フレーム処理部１０６が、転送された無線フレームから送信元である子機２のアドレスを読み出し、親機１内のタイマーにより受信時刻を計測し、該アドレスと受信レベル値と受信時刻を含む履歴情報を生成し、履歴情報を履歴情報記憶部１０７に記憶させる。
【００３０】
なお、履歴情報については、その中の受信時刻と現在時刻との差が、予め設定された値以上となったなら、履歴情報記憶部１０７から削除される。これにより、履歴情報記憶部１０７における情報量を少なくすることができる。
【００３１】
ステップＳ３では、次に、無線フレーム処理部１０６が、読み出したアドレスを初期設定通信起動部１１１に転送し、ステップＳ５に進む。
【００３２】
ステップＳ５では、初期設定通信起動部１１１が、履歴情報記憶部１０７から、転送されたアドレスを含む履歴情報を検索し、該履歴情報から２つの最新の受信時刻のそれぞれを含む履歴情報を選択し、各履歴情報から受信レベル値を読み出し、各受信レベル値の差Δを計算する。
【００３３】
ステップＳ５では、次に、初期設定通信起動部１１１が、差Δが該差Δについて予められたしきい値ＴＨΔ以上であり、かつ、最新の受信時刻を含む履歴情報から読み出した受信レベル値が該受信レベル値について予め定められたしきい値ＴＨ以上であるか否かを判定する。
【００３４】
差Δがしきい値ＴＨΔ未満、または、受信レベル値がしきい値ＴＨ未満ならステップＳ１に戻る一方、差Δがしきい値ＴＨΔ以上、且つ、受信レベル値がしきい値ＴＨ以上ならステップＳ７に進む。
【００３５】
ステップＳ７では、まず、初期設定通信起動部１１１が信号レベル制御部１１２を起動する。
【００３６】
ステップＳ７では、次に、信号レベル制御部１１２が、無線通信部１０１に対し、初期設定通信において送信される信号のレベルを低下させるように制御を行う。
【００３７】
ステップＳ７では、次に、初期設定通信起動部１１１が、初期設定通信部１０８を起動する。
【００３８】
ステップＳ７では、次に、起動された初期設定通信部１０８が、無線通信部１０１を介して、外部に対して、信号（以下、信号Ｂという）を送出する。信号Ｂの無線フレームには、親機１の識別情報と予め定められた情報（以下、情報ｂという）が含まれている。
【００３９】
信号Ｂは、例えば、ＷＰＳ  ＩＥ（Wi-Fi Protected Setup 情報要素）  ビーコンである。情報ｂは、例えば、信号ＢがＷＰＳ  ＩＥ  ビーコンであることを示すものである。
【００４０】
初期設定通信部１０８は、子機２の初期設定通信部２４から信号Ｃが送信された場合には、初期設定通信部２４に対して、初期設定通信を行う。信号Ｃは、例えば、ＷＰＳ  ＩＥ付きのProbe Requestである。
【００４１】
初期設定通信の間、信号のレベルは、信号Ｂを含め、信号レベル制御部１１２の制御により、通常の信号のレベルより低くなっている。
【００４２】
そのため、例えば、悪意のユーザが別の子機２を購入し、遠方から秘密裏にこの子機２で初期設定通信を行おうとしても、この遠方の子機２では低いレベルの信号を受信できず、よって、この子機２により初期設定通信が行われてしまうのを防止することができる。
【００４３】
ステップＳ７では、次に、初期設定通信部１０８が、初期設定通信で得た、接続とセキュリティのための設定情報を設定情報記憶部１０９に記憶させ、ステップＳ１に戻る。
【００４４】
なお、初期設定通信部１０８は、起動されてから所定の時間が経過したときに停止し、これにより、通常設定通信部１１０が起動する。
【００４５】
起動した通常設定通信部１１０は、設定情報記憶部１０９から設定情報を読み出し、子機２の通常設定通信部２６に対して、該設定情報を用いて、通常設定通信を行う。
【００４６】
無線通信部１０１は、初期設定通信または通常設定通信が行われたなら、設定情報記憶部１０９から設定情報を読み出し、子機２に対して、該設定情報を用いて、無線通信を行う。該無線通信は、初期設定通信または通常設定通信とは異なる、本来の目的の通信である。
【００４７】
図６は、子機２における初期設定通信および通常設定通信に関するフローチャートである。
【００４８】
ステップＳ１１では、無線通信部２１で信号が受信されたなら、無線フレーム抽出部２２は、受信された信号が信号Ｂ（例えば、ＷＰＳ  ＩＥ  ビーコン）か否かを判定する。
【００４９】
情報ｂを含む無線フレームが信号に含まれておらず、つまり、受信された信号が信号ＢでないならステップＳ１１に戻る一方、情報ｂを含む無線フレームが信号に含まれており、つまり、受信された信号が信号ＢならステップＳ１３に進む。
【００５０】
ステップＳ１３では、まず、無線フレーム抽出部２２は、情報ｂを含む無線フレームを、無線フレーム処理部２３に転送する。
【００５１】
ステップＳ１３では、次に、無線フレーム処理部２３が、転送された無線フレームから親機１の識別情報を読み出し、設定通信起動部２７に転送する。
【００５２】
ステップＳ１３では、次に、設定通信起動部２７が、転送された親機１の識別情報が設定情報記憶部２５に記憶されているか否かを判定する。つまり、設定通信起動部２７は、今回の通信が親機１との初回の通信か否かを判定する。
【００５３】
転送された親機１の識別情報が設定情報記憶部２５に記憶されておらず、つまり、今回の通信が親機１との初回の通信ならステップＳ１５に進む一方、転送された親機１の識別情報が設定情報記憶部２５に記憶されており、つまり、今回の通信が親機１との２回目以降の通信ならステップＳ１７に進む。
【００５４】
ステップＳ１５では、まず、設定通信起動部２７が初期設定通信部２４を起動する。  
ステップＳ１５では、次に、起動した初期設定通信部２４が、無線通信部２１を介して、信号Ｃを外部に送出する。信号Ｃは、上記のように、例えば、ＷＰＳ  ＩＥ付きのProbe Requestである。
【００５５】
信号Ｃが、親機１の無線通信部１０１を介して、初期設定通信部１０８で受信された場合は、初期設定通信部１０８が応答を返すので、初期設定通信部２４は、初期設定通信部１０８に対し、初期設定通信を行う。
【００５６】
ステップＳ１５では、初期設定通信部２４は、親機１の識別情報と、初期設定通信で得た、接続とセキュリティのための設定情報を設定情報記憶部２５に記憶させ、ステップＳ１１に戻る。
【００５７】
よって、これ以降は、ステップＳ１３では、親機１の識別情報が設定情報記憶部２５に記憶されており、つまり、当該回の通信が親機１との２回目以降の通信であると判定される。
【００５８】
ステップＳ１７では、まず、設定通信起動部２７が通常設定通信部２６を起動する。  
ステップＳ１７では、次に、起動した通常設定通信部２６が、設定情報記憶部２５から設定情報を読み出し、親機１の通常設定通信部１１０に対して、該設定情報を用いて、通常設定通信を行い、ステップＳ１１に戻る。
【００５９】
無線通信部２１は、初期設定通信または通常設定通信が行われたなら、設定情報記憶部２５から設定情報を読み出し、親機１に対して、該設定情報を用いて、無線通信を行う。該無線通信は、初期設定通信または通常設定通信とは異なる、本来の目的の通信である。
【００６０】
図７は、親機１と子機２の間の初期設定通信に関するシーケンスを示す図である。  
無線通信システムのユーザは、例えば、親機１と子機２を購入したなら、親機１を所望の位置に配置し、子機２の筐体を親機１に近づけていく（Ｔ１）。
【００６１】
子機２の無線通信部２１は、前述のように、外部に対して、例えば、定期的に、信号Ａを送出する（Ｔ１１）。
【００６２】
親機１において、図５のステップＳ５の条件が満たされたなら、初期設定通信部１０８が起動される（Ｔ１３）。
【００６３】
図８は、親機１と子機２の間の距離Ｌと、信号Ａが距離Ｌを進む間に減衰する減衰量Ｋとの関係を示す図である。
【００６４】
同図に示すように、距離Ｌが短い場合、つまり、子機２が親機１に近い場合、減衰量Ｋは小さく、距離Ｌが長い場合、つまり、子機２が親機１から遠い場合、減衰量Ｋは大きい。
【００６５】
また、子機２が親機１に近い場合において、信号Ａが距離ｌを進む間に減衰する減衰量を減衰量ｋ１とし、子機２が親機１から遠い場合において、信号Ａが距離ｌを進む間に減衰する減衰量を減衰量ｋ２とすると、減衰量ｋ１は、減衰量ｋ２より大きい。
【００６６】
つまり、図７において、子機２を親機１に近づけていくと、図５のステップＳ５の条件が満たされ、初期設定通信部１０８が起動される（Ｔ１３）。
【００６７】
初期設定通信部１０８は、外部に対して、信号Ｂを送出する（Ｔ１５）。  
子機２においては、図６のステップＳ１１、１３の条件が満たされるので、初期設定通信部２４が起動される（Ｔ１７）。  
したがって、親機１と子機２は、互いに初期設定通信を行うこととなる（Ｔ１９）。
【００６８】
以上説明したように、本実施の形態に係る無線通信システムによれば、親機１は、子機２から送信された信号（信号Ａ）の受信レベル値が記憶される履歴情報記憶部１０７と、信号Ａを受信したなら、履歴情報記憶部１０７から受信レベル値を読み出し（図５：Ｓ５）、受信レベル値と信号Ａの受信レベル値との差Δを求め（図５：Ｓ５）、差Δが該差について予め定めたしきい値ＴＨΔ以上であり、かつ、信号Ａの受信レベル値が該受信レベル値について予め定めたしきい値ＴＨ以上であるなら、初期設定通信部１０８を起動する初期設定通信起動部１１１とを備えるので、子機２の筐体を動かすことで初期設定通信を行うことができる。よって、初期設定通信のスイッチおよび階層メニューが不要となり、初期設定通信を容易に行うことができると共に、親機１、子機２の簡素化を図ることができる。
【００６９】
また、差Δをもって判定を行うことで、以下のような効果がある。  
つまり、仮に、受信レベル値のみの判定だと、例えば、悪意のユーザが、自身が購入した子機２に対し、信号の送信レベルを高める施策を講じた場合、遠方（例えば、正規のユーザ宅の外）からでも、この子機２で、親機１との初期設定通信が行われてしまう。
【００７０】
しかし、差Δをもって判定を行うことで、例えば、悪意のユーザが、子機２を親機１に近づけることで初期設定通信を行われることを知らない場合においては、前述の施策を講じた子機２をもってしても、初期設定通信は行われない。
【００７１】
例えば、悪意のユーザが、子機２を親機１に近づけることで初期設定通信を行われることを知っている場合であっても、前述の施策を講じなければ、遠方において自身の子機２を親機１に近づけても、差Δ、受信レベル値は小さく、よって、初期設定通信は行われない。
【００７２】
なお、差Δのみの判定だと、悪意のユーザが子機２を素早く動かした場合には、それが比較的遠方でも、初期設定通信が行われてしまう可能性がある。
【００７３】
しかし、差Δの判定と受信レベル値の判定を組み合わせることで、その子機２が、親機１に近くなければ、子機２を素早く動かしても、初期設定通信は行われない。
【００７４】
なお、このような場合は、比較的稀であり、よって、差Δのみの判定としてもよい。  
また、親機１においては、初期設定通信で送信される信号のレベルを低下させるので、仮に、しきい値ＴＨΔ、しきい値ＴＨの値が適切でなく、悪意のユーザが使用する比較的遠方の子機２について、差Δと受信レベル値の条件が満たされた場合であっても、かかる子機２に対しては、レベルの低下した信号が届かず、よって、初期設定通信が行われるのを防止することができる。
【００７５】
なお、例えば、このような場合を想定しないなら、信号のレベルを低下させなくてもよい。
【００７６】
また、子機２は、初期設定通信で得た設定情報が記憶される設定情報記憶部２５と、設定情報記憶部２５に設定情報が記憶されているか否かを判定し（図６：Ｓ１３）、記憶されていないなら、初期設定通信部２４を起動する設定通信起動部２７を備えるので、親機１との２回目以降の通信に際しては起動する必要のない初期設定通信部２４が起動されてしまうのを防止することができる。
【００７７】
仮に、ステップＳ１３の判定を行わず、単に初期設定通信部２４を起動してしまうと、例えば、追加購入した子機２と親機１で初期設定通信を行わせようとし、ユーザが子機２を親機１に近づけているときに、既存の子機２が不意に動いてしまい、既存の子機２が初期設定通信が行おうとすると、２つの子機２が初期設定通信が行おうとすることとなる。
【００７８】
このような場合、親機１は、各子機２の識別情報を取り違える可能性があるので、初期設定通信を中止せざるをえない。
【００７９】
しかし、ステップＳ１３の判定を行うことで、このような場合、既存の子機２は初期設定通信を行わず、よって、追加購入した子機２と親機１で初期設定通信を行わせることができる。
【００８０】
なお、本実施の形態では、初期設定通信を行わせるにあたり、子機２を親機１に近づけたが、多くの場合、子機２から送信される信号には指向性があるので、子機２を同じ位置で回転させてもよい。
【００８１】
（変形例）
図９は、本実施の形態の変形例に係る無線通信システムの親機１と子機２の間の初期設定通信に関するシーケンスを示す図である。
【００８２】
かかる変形例では、図４の無線フレーム抽出部２２、無線フレーム処理部２３、設定通信起動部２７以外のブロックを備えた子機２が使用される。また、子機２は、初期設定通信部２４を、例えば、子機２の筐体に設けられたスイッチを操作することで、起動することができるように構成される。起動した初期設定通信部２４は、無線通信部２１を介して、外部に対して、例えば、定期的に、信号Ｃを送出するように構成される。
【００８３】
また、親機１では、図５にステップＳ１で、受信された信号が信号Ｃか否かを判定するように構成される。
【００８４】
図９において、無線通信システムのユーザは、例えば、親機１と子機２を購入したなら、親機１を所望の位置に配置し、子機２の初期設定通信部２４をスイッチなどで起動し（Ｔ０）、子機２を親機１に近づけていく（Ｔ１）。
【００８５】
子機２の初期設定通信部２４は、例えば、定期的に、信号Ｃを送出する（Ｔ１１ａ）。  
親機１において、図５のステップＳ１で、受信された信号が信号Ｃであると判定され、図５のステップＳ５の条件が満たされたなら、初期設定通信部１０８が起動される（Ｔ１３ａ）。
【００８６】
したがって、親機１と子機２は、互いに初期設定通信を行うこととなる（Ｔ１９）。  
かかる変形例によれば、受信された信号が信号Ｃか否かを判定することで、初期設定通信にあたり、子機２への操作は必要だが、親機１への操作は不要にすることができる。よって、子機２として、一般的な子機を使用できる。
【００８７】
なお、本実施の形態（変形例を含む）に係る親機１または子機２としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００８８】
１…親機
２…子機
２１…無線通信部
２２…無線フレーム抽出部
２３…無線フレーム処理部
２４…初期設定通信部
２５…設定情報記憶部
２６…通常設定通信部
２７…設定通信起動部
１０１…無線通信部
１０２…有線通信部
１０３…ブリッジ部
１０４…無線フレーム抽出部
１０５…受信レベル値測定部
１０６…無線フレーム処理部
１０７…履歴情報記憶部
１０８…初期設定通信部
１０９…設定情報記憶部
１１０…通常設定通信部
１１１…初期設定通信起動部
１１２…信号レベル制御部
ＴＨΔ…差Δについてのしきい値
ＴＨ…受信レベル値についてのしきい値
【図１】
2012248943.tif 000003
【図２】
2012248943.tif 000004
【図３】
2012248943.tif 000005
【図４】
2012248943.tif 000006
【図５】
2012248943.tif 000007
【図６】
2012248943.tif 000008
【図７】
2012248943.tif 000009
【図８】
2012248943.tif 000010
【図９】
2012248943.tif 000011